(57)【要約】【課題】クロージャの長さ及び断面積を大きくすることなく光ファイバ同士の引き連れを防止できる光ファイバケーブル用クロージャ及び光ファイバ心線配線方法を提供する。【解決手段】光ファイバケーブル用クロージャ１００では、光ファイバケーブル固定部１２２と光ファイバ収納トレイ１１１との間で、各光ファイバケーブル１０１から引き出した光ファイバ心線１０２の余長分を周回して配線し、１つの収束点１３０に束ね、この収束点１３０から放射状に所定の光ファイバ収納トレイ１１１に接続させるようにしている。これにより、光ファイバ心線１０２同士が交錯するのを防止することが可能となっている。【選択図】図１
2008191190.tif 000002
【特許請求の範囲】
【請求項１】
一方向から２本以上の光ファイバケーブルを導入可能なケーブル導入部と、前記光ファイバケーブルを固定する光ファイバケーブル固定部と、前記光ファイバケーブルから導出された光ファイバ心線の接続部及び余長部を収納する光ファイバ収納トレイと、前記光ファイバ収納トレイを２以上収納可能な光ファイバ収納トレイユニットと、を備え、前記光ファイバ収納トレイが前記光ファイバ収納トレイユニットから個別に引出し可能に構成されたクロージャであって、
前記光ファイバケーブルから導出された前記光ファイバ心線の余長分は、前記光ファイバケーブル固定部と前記光ファイバ収納トレイとの間で周回して配線されており、１つの収束点に束ねた後、前記収束点から放射状に前記光ファイバ収納トレイに導入している
ことを特徴とする光ファイバケーブル用クロージャ。
【請求項２】
前記光ファイバ心線の余長分を周回して配線し、１つの収束点に束ねるための収束具をさらに備える
ことを特徴とする請求項１に記載の光ファイバケーブル用クロージャ。
【請求項３】
前記ケーブル導入部から導入される２本以上の前記光ファイバケーブルのそれぞれの前記光ファイバ心線の余長分を個別に周回して配線し、１つの収束点に束ねる２以上の収束具を備え、
前記２以上の収束具を隣接させて設置している
ことを特徴とする請求項１又は請求項２に記載の光ファイバケーブル用クロージャ。
【請求項４】
一方向から２本以上の光ファイバケーブルを導入可能なケーブル導入部と、前記光ファイバケーブルを固定する光ファイバケーブル固定部と、前記光ファイバケーブルから導出された光ファイバ心線の接続部及び余長部を収納する光ファイバ収納トレイと、前記光ファイバ収納トレイを２以上収納可能な光ファイバ収納トレイユニットと、を備え、前記光ファイバ収納トレイが前記光ファイバ収納トレイユニットから個別に引出可能に構成されたクロージャにおいて、前記光ファイバケーブル固定部から前記光ファイバ収納トレイまで前記光ファイバ心線を配線する光ファイバ心線配線方法であって、
前記光ファイバケーブルから引き出された前記光ファイバ心線の余長分は、前記光ファイバケーブル固定部と前記光ファイバ収納トレイとの間で周回して配線され、
１つの収束点に束ねた後、前記収束点から放射状に前記光ファイバ収納トレイに導入する
ことを特徴とする光ファイバ心線配線方法。
【発明の詳細な説明】
【技術分野】
【０００１】
本発明は、光ファイバケーブル相互の接続に用いられるクロージャに関し、特に光ファイバ心線の余長の配線方法を改良したクロージャ及びその配線方法に関するものである。
【背景技術】
【０００２】
従来より、光ファイバケーブルの接続に光ファイバケーブル用クロージャが用いられている。光ファイバケーブル用クロージャは、外部から光ファイバケーブルを導入し、このケーブルから光ファイバ心線を引き出して相互に接続し、これを収納する構造を有している。この光ファイバ心線の接続部及び余長分の収納に光ファイバ収納トレイが用いられており、光ファイバケーブル用クロージャは、内部に光ファイバ収納トレイを複数枚収納することができる構造を有している。
【０００３】
従来の光ファイバケーブル用クロージャの一例を図６に示す。同図において、（ａ）は光ファイバケーブル用クロージャ９００の上面図を、（ｂ）は正面図を、（ｃ）は側面図を、それぞれ示している。光ファイバケーブル用クロージャ９００は、外部から光ファイバケーブル９０１を導入するためのケーブル導入部９０２と、ケーブル導入部９０２から導入された光ファイバケーブル９０１を固定するための光ファイバケーブル固定部９０３及びテンションメンバ固定部９０４と、光ファイバケーブル９０１から導出された光ファイバ心線９０５の接続部及び余長を収納する光ファイバ収納トレイ９０６とを備えている。
【０００４】
光ファイバ収納トレイ９０６は、光ファイバケーブル用クロージャ９００の底面を構成する連結フレーム９１０のほぼ中央に載置された光ファイバ収納トレイユニット９１１に上部から挿入して収納されている。光ファイバ収納トレイユニット９１１には、複数枚の光ファイバ収納トレイ９０６を収納することができ、各光ファイバ収納トレイ９０６には左右から光ファイバ心線９０５が導入されている。
【０００５】
光ファイバケーブル固定部９０３の近傍で光ファイバケーブル９０１から露出された光ファイバ心線９０５は、少なくとも光ファイバ収納トレイ９０６が光ファイバ収納トレイユニット９１１から上部に引き出せるだけの余長を有しており、所定の光ファイバ収納トレイ９０６までほぼ直線的に配線されている。
【０００６】
また、従来の光ファイバケーブル用クロージャの別の例として、特許文献１に開示されている図７に示すような光ファイバケーブル用クロージャがある。図７に示す光ファイバケーブル用クロージャ９２０では、光ファイバ心線９２２を屈曲させて光ファイバ収納トレイ９２３に導入するようにしている。すなわち、光ファイバケーブル９２１を光ファイバケーブル用クロージャ９２０の左側から導入すると、これから露出された光ファイバ心線９２２を光ファイバ収納トレイ９２３の下部に設けられた光ファイバ引き回しスペース９２４を通過させ、光ファイバ収納トレイ９２３と右側のケーブル把持部９２５との間に形成されたスペースで光ファイバ心線９２２を屈曲させることで、光ファイバ収納トレイ９２３の右側の導入口から光ファイバ心線９２２を導入させている。
【特許文献１】特開２００１−９１８０５号公報
【発明の開示】
【発明が解決しようとする課題】
【０００７】
しかしながら、従来の光ファイバケーブル用クロージャでは、以下のような課題があった。図６に示した従来の光ファイバケーブル用クロージャ９００では、クロージャ９００の一方から光ファイバケーブル９０１を２本以上平行して導入する場合には、図６（ｃ）に示すように、ケーブル間の間隔をある程度空けて導入する必要がある。これは、ケーブル毎に固定部及び止水部をケーブル導入部９０２に設けるためのスペースが必要となるためである。
【０００８】
このように所定の間隔を空けてクロージャ９００の内部に導入された光ファイバケーブル９０１からは、それぞれ複数本の光ファイバ心線９０５が露出されて所定の光ファイバ収納トレイ９０６に導入される。光ファイバ収納トレイユニット９１１には、複数枚の光ファイバ収納トレイ９０６が光ファイバケーブル９０１の導入方向とは直角方向に配列されており、２本以上の光ファイバケーブル９０１も所定の間隔を空けて光ファイバケーブル固定部９０４に固定されていることから、各光ファイバケーブル９０１から導出されて光ファイバ収納トレイ９０６に配線される複数本の光ファイバ心線９０５は、相互に交錯する状態になってしまう。
【０００９】
このように、光ファイバ心線９０５が相互に交錯した状態でいずれか１つの光ファイバ収納トレイ９０６を光ファイバ収納トレイユニット９１１から引き出した場合、引き出されたトレイユニット９１１に接続されている光ファイバ心線９０５が、交錯している別の光ファイバ心線９０５の引き連れを発生させ、各光ファイバ心線９０５の光学的特性に悪影響を与えてしまう恐れがあった。
【００１０】
このような引き連れ発生の問題を解消させるために、光ファイバケーブル固定部９０４から光ファイバ収納トレイ９０６までの距離を引き連れが発生しない程度まで大きくする方法があるが、光ファイバ収納トレイ９０６の枚数や光ファイバケーブル９０１の導入本数が増加すると、光ファイバケーブル固定部９０４から光ファイバ収納トレイ９０６までの距離を著しく大きくする必要があり、クロージャ９００自体の長さが大幅に増加してしまうといった問題があった。
【００１１】
また、特許文献１に開示されている光ファイバケーブル用クロージャ９２０では、クロージャ９２０の長さを増加させること無く光ファイバ心線９２２の余長を長くすることで光ファイバ心線の引き連れを防止しているが、光ファイバ収納トレイ９２３の下部にスペース９２４を設けて光ファイバ心線９２２を通過させる必要があるため、クロージャ９２０の中央部において光ファイバ収納トレイ９２３を設置するスペースの他に光ファイバ心線９２２を通過させるスペースも必要となり、クロージャ９２０の断面積を大きくしなければならないといった問題があった。
【００１２】
そこで、本発明はこれらの問題を解決するためになされたものであり、クロージャの長さ及び断面積を大きくすることなく光ファイバ同士の引き連れを防止できる光ファイバケーブル用クロージャ及び光ファイバ心線配線方法を提供することを目的とする。
【課題を解決するための手段】
【００１３】
本発明の光ファイバケーブル用クロージャの第１の態様は、一方向から２本以上の光ファイバケーブルを導入可能なケーブル導入部と、前記光ファイバケーブルを固定する光ファイバケーブル固定部と、前記光ファイバケーブルから導出された光ファイバ心線の接続部及び余長部を収納する光ファイバ収納トレイと、前記光ファイバ収納トレイを２以上収納可能な光ファイバ収納トレイユニットと、を備え、前記光ファイバ収納トレイが前記光ファイバ収納トレイユニットから個別に引出し可能に構成されたクロージャであって、前記光ファイバケーブルから導出された前記光ファイバ心線の余長分は、前記光ファイバケーブル固定部と前記光ファイバ収納トレイとの間で周回して配線されており、１つの収束点に束ねた後、前記収束点から放射状に前記光ファイバ収納トレイに導入していることを特徴とする。
【００１４】
本発明の光ファイバケーブル用クロージャの他の態様は、前記光ファイバ心線の余長分を周回して配線し、１つの収束点に束ねるための収束具をさらに備えることを特徴とする。
【００１５】
本発明の光ファイバケーブル用クロージャの他の態様は、前記ケーブル導入部から導入される２本以上の前記光ファイバケーブルのそれぞれの前記光ファイバ心線の余長分を個別に周回して配線し、１つの収束点に束ねる２以上の収束具を備え、前記２以上の収束具を隣接させて設置していることを特徴とする。
【００１６】
本発明の光ファイバ心線配線方法の第１の態様は、一方向から２本以上の光ファイバケーブルを導入可能なケーブル導入部と、前記光ファイバケーブルを固定する光ファイバケーブル固定部と、前記光ファイバケーブルから導出された光ファイバ心線の接続部及び余長部を収納する光ファイバ収納トレイと、前記光ファイバ収納トレイを２以上収納可能な光ファイバ収納トレイユニットと、を備え、前記光ファイバ収納トレイが前記光ファイバ収納トレイユニットから個別に引出可能に構成されたクロージャにおいて、前記光ファイバケーブル固定部から前記光ファイバ収納トレイまで前記光ファイバ心線を配線する光ファイバ心線配線方法であって、前記光ファイバケーブルから引き出された前記光ファイバ心線の余長分は、前記光ファイバケーブル固定部と前記光ファイバ収納トレイとの間で周回して配線され、１つの収束点に束ねた後、前記収束点から放射状に前記光ファイバ収納トレイに導入することを特徴とする。
【発明の効果】
【００１７】
上記説明の通り本発明によれば、光ファイバケーブルから露出された光ファイバ心線が、ほぼ一点に収束された後に各光ファイバ収納トレイに放射状に配線されることから、光ファイバ心線同士が交錯するのを防止することができ、任意の光ファイバ収納トレイを引き出しても光ファイバ心線の引き連れを発生させることなく安全に光ファイバ収納トレイを引き出すことができる光ファイバケーブル用クロージャ及び光ファイバ心線配線方法を提供することが可能となる。
【発明を実施するための最良の形態】
【００１８】
本発明の好ましい実施の形態における光ファイバケーブル用クロージャ及び光ファイバ心線配線方法について、図面を参照して詳細に説明する。なお、同一機能を有する各構成部については、図示及び説明簡略化のため、同一符号を付して示す。
【００１９】
本発明の第１の実施の形態に係る光ファイバケーブル用クロージャの概略構造を図１に示す。同図では、（ａ）に本実施形態の光ファイバケーブル用クロージャ１００の上面図を、（ｂ）に正面図を、（ｃ）に側面図を、それぞれ示している。同図では、光ファイバケーブル用クロージャ１００の両端に設けられたケーブル導入部１２１は、それぞれ外部から２本の光ファイバケーブル１０１を導入できる構造を有している。ケーブル導入部１２１は、さらに多くの光ファイバケーブル１０１を導入できる構造を有していてもよい。
【００２０】
また、連結フレーム１２４の中央に設置された光ファイバ収納トレイユニット１１０には、複数枚の光ファイバ収納トレイ１１１が挿入されている。複数枚の光ファイバ収納トレイ１１１は、一つのケーブル導入部１２１に導入されている２本の光ファイバケーブル１０１の並びと同じ方向に並んでユニット１１０に配列されている。このように、２本の光ファイバケーブル１０１が所定の間隔を空けて並び、それと同じ方向に複数枚の光ファイバ収納トレイ１１１が配列されている場合、各光ファイバケーブル１０１から光ファイバ心線１０２を露出させて所定の光ファイバ収納トレイ１１１に直接接続させると、光ファイバ心線１０２同士が交錯して引き連れの原因となっていた。
【００２１】
そこで、本実施形態の光ファイバケーブル用クロージャ１００では、光ファイバケーブル固定部１２２と光ファイバ収納トレイ１１１との間で、各光ファイバケーブル１０１から引き出した光ファイバ心線１０２の余長分を周回して配線し、１つの収束点１３０に束ね、この収束点１３０から放射状に所定の光ファイバ収納トレイ１１１に接続させるようにしている。
【００２２】
上記のように、本実施形態の光ファイバ心線配線方法によれば、光ファイバ心線１０２の余長分を周回して配線し、１つの収束点１３０に収束させた後に各光ファイバ収納トレイ１１１に配線するようにしたことにより、光ファイバ心線１０２同士が交錯するのを防止することが可能となっている。従って、任意の光ファイバ収納トレイ１１１を光ファイバ収納トレイユニット１１０から引き出しても、他の光ファイバ心線１０２を引き連れることはなくなる。
【００２３】
光ファイバ心線１０２の余長分は、光ファイバケーブル固定部１２２と光ファイバ収納トレイ１１１との間で周回させ、１つの収束点１３０に束ねた後に、各光ファイバ収納トレイ１１１に配線している。また、収束点１３０の位置は、各光ファイバ収納トレイ１１１との間で光ファイバ心線１０２を小さく折り曲げて配線してしまうことのないよう、光ファイバ収納トレイ１１１からできるだけ離れた位置に設けるのがよい。収束点１３０と光ファイバ収納トレイ１１１との距離を大きくすることで、光ファイバ収納トレイ１１１を引き出したときにも光ファイバ心線１０２の余長に余裕を持たせることもできる。
【００２４】
本発明の第２の実施の形態に係る光ファイバケーブル用クロージャの概略構造を図２に示す。本実施形態の光ファイバケーブル用クロージャ２００では、光ファイバケーブル固定部１２２と光ファイバ収納トレイ１１１との間に収束具２３０を設置し、各光ファイバケーブル１０１から引き出した光ファイバ心線１０２を、収束具２３０を経由させて周回させた後に所定の光ファイバ収納トレイ１１１に接続させるようにしている。
【００２５】
収束具２３０の構造を図３に示す。図３(ａ)は収束具２３０の正面図を示しており、（ｂ）は側面図を示している。本実施形態の収束具２３０は、図３(ａ)に示すように正面が半円板２３１となっており、図３(ｂ)に示すように２枚の半円板２３１の間に光ファイバ心線１０２を半円状に収納するための溝部２３２が設けられている。溝部２３２の底部の曲率半径は、光ファイバ心線１０２の許容曲率半径以上としている。
【００２６】
また、収束具２３０には、溝部２３２に光ファイバ心線１０２を巻き付けたときに光ファイバ心線１０２が溝部２３２から出てしまうのを防止するために、溝部２３２の両端２３２ａ、ｂにガイド２３３を設けている。本実施形態では、端部２３２ａ、２３２ｂのそれぞれにガイド２３３を２つずつ設けており、光ファイバ心線１０２をガイド２３３を通過させて溝部２３２に巻き付けられるよう、２つのガイド２３３の設置位置をずらして半円板２３１に固定している。
【００２７】
つぎに、各光ファイバケーブル１０１から引き出した光ファイバ心線１０２を、収束具２３０を経由させた後に所定の光ファイバ収納トレイ１１１まで配線する光ファイバ心線配線方法を以下に説明する。本実施形態では、収束具２３０を光ファイバ収納トレイ１１１と平行となる方向で、かつ半円部分が光ファイバ収納トレイ１１１の向きになるように設置して連結フレーム１２４に固定している。
【００２８】
２本の光ファイバケーブル１０１から引き出された複数本の光ファイバ心線１０２は、全て収束具２３０の溝部２３２の一方の端部２３２ａまで配線され、ここでガイド２３３を通過して溝部２３２の内部に収納される。そして、溝部２３２の内部を半円状に通過させた後、溝部２３２の他方の端部２３２ｂからそれぞれの光ファイバ心線１０２が所定の光ファイバ収納トレイ１１１まで配線される。
【００２９】
上記の通り、本実施形態の光ファイバケーブル用クロージャ１００では、一方のケーブル導入部１２１から導入された２本の光ファイバケーブル１０１に内包される光ファイバ心線１０２は、全て収束具２３０で束ねられ、収束具２３０の端部２３２ｂから放射状に所定の光ファイバ収納トレイ１１１まで配線される。
【００３０】
上記のように、全ての光ファイバ心線１０２を収束具２３０の端部２３２ｂである１点から光ファイバ収納トレイ１１１まで配線させるようにすることにより、本実施形態でも光ファイバ心線１０２同士が交錯するのを防止することが可能となる。
【００３１】
また、収束具２３０は、半円部分が光ファイバ収納トレイ１１１の向きになるように設置していることから、収束具２３０の端部２３２ｂと光ファイバ収納トレイ１１１との距離が長くなる。これにより、端部２３２ｂから光ファイバ収納トレイ１１１まで光ファイバ心線１０２を配線するのに、光ファイバ心線１０２を小さな曲率半径で折り曲げてしまう恐れがなくなる。
【００３２】
本発明の第３の実施の形態に係る光ファイバケーブル用クロージャの概略構造を図４に示す。同図では、（ａ）に本実施形態の光ファイバケーブル用クロージャ３００の上面図を、（ｂ）に正面図を、（ｃ）に側面図を、それぞれ示している。本実施形態の光ファイバケーブル用クロージャ３００では、収束具２３０に隣接させて別の収束具３３０を追加している。
【００３３】
収束具３３０には、収束具２３０に巻き付けられている光ファイバ心線１０２が引き出された光ファイバケーブル１０１とは別の光ファイバケーブル３０１から引き出された光ファイバ心線３０２を巻き付けている。
【００３４】
別の光ファイバケーブルから引き出された光ファイバ心線を、別の収束具に巻き付けるのが好ましい場合として、例えば、光ファイバケーブル３０１が後から増設された場合がある。この場合、増設された光ファイバケーブル３０１から引き出された光ファイバ心線３０２を既設の収束具２３０に巻き付けようとすると、巻き付け作業時に既設の光ファイバ心線１０２に接触する等して損傷を与えてしまう恐れがある。
【００３５】
そこで、本実施形態の光ファイバケーブル用クロージャ３００のように、既設の収束具２３０とは別の収束具３３０を増設し、増設された光ファイバケーブル３０１から引き出された光ファイバ心線３０２を増設収束具３３０に巻き付けるようにすることで、既設の光ファイバ心線１０２に損傷を与えるのを防止することができる。
【００３６】
本実施形態では、収束具２３０と３３０とを隣接させて設置するようにしている。そして、収束具２３０から光ファイバ心線１０２を引き出す位置と、収束具３３０から光ファイバ心線３０２を引き出す位置とをできるだけ近接させることで、光ファイバ心線１０２と光ファイバ心線３０２とがほぼ同一地点から放射状に光ファイバ収納トレイ１１１まで配線されるようにしている。
【００３７】
上記のように、収束具２３０と３３０とを隣接させて設置することで、光ファイバ心線１０２及び３０２のいずれかが相互に交錯するのを防止することができ、光ファイバ収納トレイ１１１を引き出したときに光ファイバ心線の引き連れが発生しないようにすることが可能となる。
【００３８】
本発明の第４の実施の形態に係る光ファイバケーブル用クロージャの概略構造を図５に示す。同図では、（ａ）に本実施形態の光ファイバケーブル用クロージャ４００の上面図を、（ｂ）に正面図を、（ｃ）に側面図を、それぞれ示している。本実施形態の光ファイバケーブル用クロージャ４００では、収束具４３０の設置方向（半円板の方向）を、光ファイバ収納トレイ１１１を光ファイバ収納トレイユニット１１０に挿入する方向とは直行する方向としている。
【００３９】
収束具の設置方向は、光ファイバケーブル固定部１２２やテンションメンバ固定部１２３等の構造に合わせて決定することができ、本実施形態に限らず、例えば斜め方向に傾けて設置してもよい。いずれの場合であっても、半円板２３１の半円部分を光ファイバ収納トレイ１１１の側に向け、溝部２３２の両端を光ファイバケーブル固定部１２２側に向けるのがよい。
【００４０】
なお、上記実施形態で用いた収束具はいずれも半円状としていたが、収束具はこれに限られず、例えばクランプ形状のもの等を用いて光ファイバ心線を周回させるようにしてもよい。いずれの場合でも、光ファイバケーブル固定部１２２と光ファイバ収納トレイ１１１との間で、光ファイバケーブルから引き出した光ファイバ心線をほぼ１点に収束させ、その収束点から各光ファイバ収納トレイ１１１に配線させるようにすればよい。
【００４１】
上記説明の通り、本発明の光ファイバケーブル用クロージャ及び光ファイバ心線配線方法によれば、離隔された光ファイバケーブルから露出された光ファイバ心線を１点に収束させた後に各光ファイバ収納トレイに配線するようにしたことから、光ファイバ心線が相互に交錯するのを防止することができ、任意の光ファイバ収納トレイを光ファイバ収納トレイユニットから引き出しても、光ファイバ心線の引き連れを発生させる恐れがなくなる。
【００４２】
また本発明によれば、光ファイバケーブル固定部と光ファイバ収納トレイとの間の間隔を長くしたり、クロージャの断面積を大きくして光ファイバ収納トレイの側面に光ファイバ心線を通過させる等の方法で、光ファイバ心線の余長を長くする必要はなくなる。これにより、光ファイバケーブル用クロージャを小型化してコストの削減や作業負担の低減化を図ることも可能となる。
【００４３】
なお、本実施の形態における記述は、本発明に係る光ファイバケーブル用クロージャ及び光ファイバ心線配線方法の一例を示すものであり、これに限定されるものではない。本実施の形態における光ファイバケーブル用クロージャ及び光ファイバ心線配線方法の細部構成及び詳細な動作等に関しては、本発明の趣旨を逸脱しない範囲で適宜変更可能である。
【図面の簡単な説明】
【００４４】
【図１】本発明の第１の実施形態に係る光ファイバケーブル用クロージャの概略構成を示す図である。
【図２】本発明の第２の実施形態に係る光ファイバケーブル用クロージャの概略構成を示す図である。
【図３】収束具の構造を示す図である。
【図４】本発明の第３の実施形態に係る光ファイバケーブル用クロージャの概略構成を示す図である。
【図５】本発明の第４の実施形態に係る光ファイバケーブル用クロージャの概略構成を示す図である。
【図６】従来の光ファイバケーブル用クロージャの一例を示す図である。
【図７】従来の光ファイバケーブル用クロージャの別の例を示す図である。
【符号の説明】
【００４５】
１００、２００、３００、４００    光ファイバケーブル用クロージャ
１０１、３０１    光ファイバケーブル
１０２、３０２    光ファイバ心線
１１０    光ファイバ収納トレイユニット
１１１    光ファイバ収納トレイ
１２１    ケーブル導入部
１２２    光ファイバケーブル固定部
１２３    テンションメンバ固定部
１２４    連結フレーム
１３０    収束点
２３０、３３０、４３０    収束具
２３１    半円板
２３２    溝部
２３３    ガイド
【図１】
2008191190.tif 000003
【図２】
2008191190.tif 000004
【図３】
2008191190.tif 000005
【図４】
2008191190.tif 000006
【図５】
2008191190.tif 000007
【図６】
2008191190.tif 000008
【図７】
2008191190.tif 000009